(57)【要約】【課題】  開閉するシャッターを備えるとともに、輸送性を向上することができるシャッター付きカラーを提供すること。【解決手段】  筒状のカラー本体と、該カラー本体の内部に設けられた軸に回動可能に軸支されたシャッター本体と、該シャッター本体を開閉する開閉機構とを備えるシャッター付きカラーであって、前記開閉機構は、カラー本体内部に固定された固定板と、前記シャッター本体に固定された可動板と、該可動板の動きをガイドするガイド手段とで構成され、前記開閉機構は、カラー本体から外部に略突出しないように設けられている。【選択図】  図１
2019002578.tif 000002
【特許請求の範囲】
【請求項１】
筒状のカラー本体と、該カラー本体の内部に設けられた軸に回動可能に軸支されたシャッター本体と、該シャッター本体を開閉する開閉機構とを備えるシャッター付きカラーにおいて、
前記開閉機構は、カラー本体内部に固定された固定板と、前記シャッター本体に固定された可動板と、該可動板の動きをガイドするガイド手段とで構成され、
前記開閉機構は、カラー本体から外部に略突出しないように設けられているシャッター付きカラー。
【請求項２】
前記開閉機構には、操作部材が設けられていることを特徴とする請求項１に記載のシャッター付きカラー。
【請求項３】
前記操作部材は、カラー本体から外部に略突出しないように設けられていることを特徴とする請求項２に記載のシャッター付きカラー。
【請求項４】
前記ガイド手段は、前記可動板に形成された弧状のガイド孔と、該ガイド孔を貫通し、かつ、前記固定板に取り付けられたピン状のガイド部材とで構成されることを特徴とする請求項１乃至請求項３のいずれかに記載のシャッター付きカラー。
【請求項５】
前記ガイド手段は、前記固定板に形成された弧状のガイド孔と、該ガイド孔を貫通し、かつ、前記可動板に取り付けられたピン状のガイド部材とで構成されることを特徴とする請求項１乃至請求項３のいずれかに記載のシャッター付きカラー。
【発明の詳細な説明】
【技術分野】
【０００１】
本発明は、ダクトやアネモボックス等に取り付けられるシャッター付きカラーに関する。
【背景技術】
【０００２】
特許文献１には、短筒状の内部に略円形状の開閉弁を備えるダクト取付け筒（カラー）が開示されている。このシャッター付きカラーは、アネモボックスとダクトの間に介在するものである。しかして、前記開閉弁（シャッター）は、ガイド溝を有する弧状の支持アームが前記カラーの開口一端部から突出するように設けられている。そして、開閉弁本体の中央部で先端部寄りの部位に固定されているとともに、内側へ突出するレバーがこの支持アームのガイド溝にガイドされることにより開閉弁が開閉する構造となっている。
【０００３】
しかしながら、上記特許文献１のシャッター付きカラーの支持アームは、常にカラーの開口一端部から外方へ支持アームが突出していることから、カラーのみ（アネモボックスに組み付けない状態のもの）を輸送する際には、この支持アームが邪魔にならないような大きさの箱を用意しなければならず、また箱に収納する際に、カラーを効率よく収納することもできず、デッドスペースが大きくなり梱包性や輸送性に問題があった。
【先行技術文献】
【特許文献】
【０００４】
【特許文献１】特開平６−９４２９６号公報
【発明の概要】
【発明が解決しようとする課題】
【０００５】
本発明は以上のような従来の欠点に鑑み、被輸送物としてのシャッター付きカラーの梱包性及び輸送性を向上することができるシャッター付きカラーを提供することを目的としている。
【課題を解決するための手段】
【０００６】
上記目的を達成するために、本発明のシャッター付きカラーは、筒状のカラー本体と、該カラー本体の内部に設けられた軸に回動可能に軸支されたシャッター本体と、該シャッター本体を開閉する開閉機構とを備えるシャッター付きカラーであって、前記開閉機構は、カラー本体内部に固定された固定板と、前記シャッター本体に固定された可動板と、該可動板の動きをガイドするガイド手段とで構成され、前記開閉機構は、カラー本体から外部に略突出しないように設けられていることを特徴とする。
【発明の効果】
【０００７】
以上の説明から明らかなように、本発明にあっては次に列挙する効果が得られる。
（１）請求項１に記載の発明においては、開閉機構がカラー本体から外部に略突出しないように設けられているので、梱包性及び輸送性の向上を図ることができる。
（２）請求項２に記載の発明も前記（１）と同様な効果が得られるとともに、操作部材が取り付けられているので、容易にシャッター本体の開閉をすることができる。
（３）請求項３に記載の発明も前記（１）〜（２）と同様な効果が得られるとともに、操作部材もカラー本体から突出しないように設けられているので、梱包性及び輸送性の向上を図ることができる。
（４）請求項４及び請求項５に記載の各発明も前記（１）〜（３）と同様な効果が得られるとともに、容易に所定の角度にシャッター本体を調整することができる。
【図面の簡単な説明】
【０００８】
図１乃至図５は本発明の第１の実施形態を示す説明図である。
図６乃至図９は本発明の第２の実施形態示す説明図である。
【図１】第１の実施形態のシャッター付きカラーの正面図。
【図２】シャッター付きカラーの平面図。
【図３】シャッター付きカラーの右側面図。
【図４】図３の４−４線断面図。
【図５】シャッター本体を開閉する際の概略説明図。
【図６】第２の実施形態のシャッター付きカラーの正面図。
【図７】シャッター付きカラーの右側面図。
【図８】図７の８−８線断面図。
【図９】シャッター本体を開閉する際の概略説明図。
【発明を実施するための形態】
【０００９】
以下、図面に示す本発明を実施するための形態により、本発明を詳細に説明する。
図１乃至図５に示す本発明を実施するための第１の形態において、１は本発明のアネモボックスやダクト等に設けられるシャッター付きカラーである。
【００１０】
このシャッター付きカラー１は、図１乃至図４に示すように、両端開口の筒状のカラー本体２と、該カラー本体２内の略中央部あるいは中央部寄りの部位に設けられた軸３に開閉可能に軸支されたシャッター本体４と、該シャッター本体４を開閉する開閉機構５とで構成されている。
【００１１】
カラー本体２は、略角筒状又は略円筒形状で、その一端部にフランジ部６を有している。このフランジ部６を有する一端部は、使用状態においては、主にアネモボックス等に挿入固定され、フランジ部６を有していない胴部７側には、ダクト又はこれに類するパイプ体等が接続される。カラー本体２の胴部７には必要に応じてダクト等を係合する係合部８が形成される。
【００１２】
なお、前記軸３は、シャッター本体４を軸支する一対の固定軸であってもよいし、シャッター本体と一緒に回転する回転軸であってもよい。
このカラー本体２の胴部の直径は、例えば１００ｍｍ〜３５０ｍｍ程度で、その全長は１１５ｍｍ〜１２２ｍｍに形成されている。
【００１３】
このカラー本体２の中央よりもフランジ部６を有する端部側には、軸３が固定されている。この軸３は、本実施形態ではカラー本体２の内部を貫通するように設けられているが、例えばカラー本体２の内部に対向するように突出する２本のピンを固定し、この２本のピンを軸３としてもよい。
シャッター本体４は略円盤形状の金属板で、前記軸３に取付片９で回転取り付けられている。
【００１４】
開閉機構５は、図５に示すように、カラー本体２の内部に固定された略クランク状の固定板１０と、前記シャッター本体４に固定された略半円状あるいは略矩形状の可動板１１と、該可動板１１の動きをガイドするとともに固定機能も有するガイド手段１２とで構成されている。
【００１５】
この固定板１０と可動板１１は、溶接、ビス止め、リベット止め等によってカラー本体２やシャッター本体４に固定される。本実施形態ではリベット（図示せず）により固定している。
【００１６】
固定板１０は、略クランク状の金具で、その一側面がカラー本体２の周壁に固定されており、この側面と略平行な他側面には後述するガイド手段１２を構成するピン部材１５が取り付けられる。この側面が前記軸３と略直交するように固定板１０が取り付けられる。
前記可動板１１は、正面視略半円状の金具で、その下端部（取付基端部）は、この半円状の部位と直交するように折り曲げられている。この折り曲げられた部位が前記シャッター本体４に固定される。
【００１７】
可動板１１は、半円状の部位が前記固定板１０の他側面と略当接するように固定されており、この半円状の部位には、後述するガイド手段１２を構成するガイド孔１４が形成される。
【００１８】
前記開閉機構５は、カラー本体２から外部に略突出しないように設けられている。このように構成することにより、箱詰めした際に、複数のシャッター付きカラー１を効率的に収納することができることから、梱包性及び輸送性の向上を図ることができる。
【００１９】
この開閉機構５には、シャッター本体４の開閉を容易にするために操作部材（操作部）１３が設けられている。本実施形態では、操作部材１３は可動板１１の外周部に一体的に設けられており、この操作部材１３も通常状態（シャッター本体２が閉となっている状態）では、カラー本体２から外に突出しないように設けられている。
なお、操作部材１３は、可動板１１と別体に形成し、後から可動板９等に固定して取付けてもよい。
【００２０】
ガイド手段１２は、半円状の可動板１１の外周部付近に形成された円弧状のガイド孔１４と、このガイド孔１４を貫通し、かつ、固定板１０に取り付けられるピン部材１５とで構成されている。
【００２１】
ガイド手段１２には、シャッター本体４が所定の位置（角度）で固定できるように、固定手段を有していることが望ましく、本実施形態では、ピン部材１５に蝶ボルトを用いるとともに、固定板８にネジ孔を形成し、螺合によりピン部材１５を固定板１２に取り付けている。このようなガイド部材を用いることにより、所定の角度で蝶ボルトを締め付けることでシャッター本体４が固定される。
【００２２】
なお、固定板１２にガイド部材としてのボルトを溶接等により固定状態で取り付け、このボルトにナットを締めつけて固定手段としてもよい。
【００２３】
[発明を実施するための異なる形態]
次に、図６乃至図９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図６乃至図９に示す本発明を実施するための第２の形態において、前記本発明を実施するための第１の形態と主に異なる点は、先端部のみがカラー本体２の外部に突出する操作部材１３を用いるとともに、ガイド孔１４を形成した略チャンネル状の固定板１０Ａと、このガイド孔１４を貫通し、かつ、可動板１１Ａに取り付けられるピン部材１５Ａとでガイド手段１２Ａを構成した点で、このようなシャッター付きカラー１Ａにしても、前記本発明を実施するための第１の形態と同様な作用効果が得られる。
【００２５】
なお、本実施形態ではガイド部材１５Ａにはピンを用いており、このピンは溶接等により可動板１１Ａに固定的に取り付けられている。このように構成する場合、前記第１の実施形態のシャッター本体４の開閉角度を調整するための開閉角度調整手段や固定手段を別途設けることが望ましい。
【産業上の利用可能性】
【００２６】
本発明はシャッター付きカラーを製造する産業等に利用される。
【符号の説明】
【００２７】
１、１Ａ：シャッター付きカラー、  ２：カラー本体、
３：軸、                          ４：シャッター本体、
５：開閉機構、                    ６：フランジ部、
７：胴部、                        ８：係合部、
９：取付片、                      １０、１０Ａ：固定板、
１１、１１Ａ：可動板、            １２、１２Ａ：ガイド手段、
１３：操作部材、                  １４：ガイド孔、
１５、１５Ａ：ピン部材。 
【図１】
2019002578.tif 000003
【図２】
2019002578.tif 000004
【図３】
2019002578.tif 000005
【図４】
2019002578.tif 000006
【図５】
2019002578.tif 000007
【図６】
2019002578.tif 000008
【図７】
2019002578.tif 000009
【図８】
2019002578.tif 000010
【図９】
2019002578.tif 000011